(57)【特許請求の範囲】
【請求項１】
定期券あるいは乗車券を得る印刷前の原券を収納する原券収納部と、  上記原券収納部から供給される原券に磁気情報を記録するとともに、記録された磁気情報を読み取りチェックを行う磁気ヘッドを備えた情報記録部と、
上記情報記録部において磁気情報が記録された原券の送り方向を反転させ、上記情報記録部を通過させて磁気情報の読み取りチェックを行った原券を印刷部に供給するための反転機構と、
上記磁気情報が記録された原券と転写フィルムとを重ね合わせてサーマルヘッドとプラテンローラ間を通過させることにより、原券に目視情報を印刷する印刷部と、
上記転写フィルムを印刷部に供給し、転写済の転写フィルムを回収する転写フィルム部と、
目視情報印刷後の原券を取り出す券取出部とを備え、上記各部を１筐体内に収納した券感熱転写印刷装置であって、
上記転写フィルム部は転写フィルムを供給する転写フィルム装填リールと、転写済転写フィルムを巻き取る転写フィルム巻取リールを備え、
上記転写フィルム部の巻取リールは、該巻取リールを駆動する駆動源と摩擦板を介して接続されており、
原券が上記サーマルヘッドとプラテンローラ間を通過していないとき上記装填リールの回転が停止しており
原券と転写フィルムとが重なって前記サーマルヘッドとプラテンローラ間を通過するときは、上記装填リールを回転させて転写フィルムを送り出し、上記摩擦板がすべり伝達をしながら巻取リールを回転させてフィルムを巻取り、
上記重なりが解除されると、転写フィルムは、装填リールの摩擦板による保持力により停止し、転写フィルムも停止する
ことを特徴とする券感熱転写印刷装置。
【請求項２】
転写フィルム部の装填リールは、該装填リールに巻回された転写フィルムの両側面を抑える一対のクッション部材を備えており、
上記クッション部材間の間隔を、転写フィルムの巾寸法を越えないように構成した
ことを特徴とする請求項１の券感熱転写印刷装置。
【請求項３】
券感熱転写印刷装置の筐体に把手が設けられ、携帯可能に構成されている
ことを特徴とする請求項１または請求項２の券感熱転写印刷装置。
【発明の詳細な説明】
【０００１】
【発明の属する技術分野】
本発明は、券紙表面に目視情報を印刷し、裏面に磁気情報を記録して発行する主として鉄道業界において使用される券感熱転写印刷装置に関する。
【０００２】
【従来の技術】
駅係員が操作する定期券および乗車券を発行する発行機としては、従来から要求される機能、例えば定期券専用機、乗車券専用機、定期券・乗車券兼用機等に応じて組み合わせを容易にするため、操作部と印刷部を分離した形のものが使用されている。
図６は上記した発行機の外観図である。同図に示すように、従来においては、操作部１ａを備えた筐体１の隣に並べて券印刷装置の筐体２を配置し、また、券印刷装置の筐体２の上面２ａを操作部テーブル上面１ｂと同一高さとし、印刷済の券は筐体２の側面２ｂの上部に設けられた券出口２ｃより排出されるように構成している。
【０００３】
図７は上記券印刷機の概略構成を示す図である。同図において、２は上記した券印刷装置の筐体であり、券印刷機は原券Ｑを積層・収納する原券供給部２ｄを備えており、原券供給部２ｄから供給される原券は、１枚ずつ繰り出され搬送部１ｅを経由して印刷部１ｆに供給される。
印刷部１ｆにおいて、感熱転写フィルム部１ｇに巻き掛けされた転写フィルムＦとを重ね合わせ原券Ｑの表面に目視情報を印刷する。目視情報が印刷された原券Ｑはさらに、情報印刷部１ｈに搬送されて、裏面に磁気情報が記録され、券出口２ｃから排出される。
【０００４】
【発明が解決しようとする課題】
上記図６、図７に示した構成のものは、首都圏内駅等の発売枚数が多い多量口座に対応できるように構成されており、発売枚数の少ない、すなわち大量口座を必要としない中小規模駅に適用するにはオーバ・スペックであり、広い設置スペースを必要とする。また、転写フィルムＦの交換は駅係員が操作部からいったん席を立って、中腰あるいはしゃがみ込むような不安定な姿勢で券印刷装置の筐体２の前扉を開けて行わなければならず、操作性が悪い。
また、転写フィルムに過度の引張力を加えると転写フィルムが切断したり蛇行するので、上記従来のものにおいては、転写フィルムの駆動ローラを印刷速度と同期回転させながら巻取リールで転写フィルムを巻き取る必要があり、そのための機構を必要とし装置が大型化するといった問題点があった。
【０００５】
本発明は上記した従来技術の問題点に鑑みなされたものであって、本発明の第１の目的は、駅係員が着席したままで転写フィルムを供給することができ、また、転写フィルム搬送に際して、フィルムに過度の引張力が加わらず、フィルム切れや、印刷時の文字欠けが発生することがない、中小規模駅に適用するに好適な券感熱転写印刷装置を提供することである。
【０００６】
【課題を解決するための手段】
本発明においては、上記課題を次のようにして解決する。
（１）定期券あるいは乗車券を得る印刷前の原券を収納する原券収納部と、上記原券収納部から供給される原券に磁気情報を記録するとともに、記録された磁気情報を読み取りチェックを行う磁気ヘッドを備えた情報記録部と、上記情報記録部において磁気情報が記録された原券の送り方向を反転させ、上記情報記録部を通過させて磁気情報の読み取りチェックを行った原券を印刷部に供給するための反転機構と、上記磁気情報が記録された原券と転写フィルムとを重ね合わせてサーマルヘッドとプラテンローラ間を通過させることにより、原券に目視情報を印刷する印刷部と、上記転写フィルムを印刷部に供給し、転写済の転写フィルムを回収する転写フィルム部と、定期券あるいは乗車券を得る印刷前の原券を収納する原券収納部と、原券収納部から供給される原券に磁気情報を記録する情報記録部と、磁気情報が記録された原券を印刷部に供給するため、その送り方向を反転する反転機構と、磁気情報が記録された原券と転写フィルムとを重ね合わせてサーマルヘッドとプラテンローラ間を通過させることにより、原券に目視情報を印刷する印刷部と、上記転写フィルムを印刷部に供給し、転写済の転写フィルムを回収する転写フィルム部と、目視情報印刷後の原券を取り出す券取出部とを備え、上記各部を１筐体内に収納した券感熱転写印刷装置において、上記転写フィルム部は転写フィルムを供給する転写フィルム装填リールと、転写済転写フィルムを巻き取る転写フィルム巻取リールを設ける。
そして、上記転写フィルム部の巻取リールを、該巻取リールを駆動する駆動源と摩擦板を介して接続し、原券が上記サーマルヘッドとプラテンローラ間を通過していないとき上記装填リールの回転が停止し、原券と転写フィルムとが重なって前記サーマルヘッドとプラテンローラ間を通過するときは、上記装填リールを回転させて転写フィルムを送り出し、上記摩擦板がすべり伝達をしながら巻取リールを回転させてフィルムを巻取り、上記重なりが解除されると、転写フィルムは、装填リールの摩擦板による保持力により停止し、転写フィルムも停止するように構成する。
【０００８】
（２）上記（１）において、転写フィルム部の装填リールに、該装填リールに巻回された転写フィルムの両側面を抑える一対のクッション部材を設け、クッション部材間の間隔を、転写フィルムの巾寸法を越えないように構成する。
（３）上記（１）（２）において、券感熱転写印刷装置の筐体に把手を設け、携帯可能に構成する。
【０００９】
本発明の請求項１の発明は、上記（１）のように、原券の送り方向を反転する反転機構を設け、また、転写フィルムを原券とともに移動させるようにしたので、原券の搬送経路を短縮化することができ、また、転写フィルムを印刷速度と同期搬送するための駆動ローラ機構等を設ける必要がないので、装置を小型化することができる。
このため、券感熱転写印刷装置をテーブル上に設置して、駅係員が着席したまま転写フィルムの交換等を行うことができ操作性を向上させることができる。
また、上記のように、転写フィルムを印刷速度と同期搬送するための駆動ローラ機構等を設ける必要がないので、転写フィルムの駆動タイミングの時間ズレがあっても転写フィルムが切断することがなく、転写フィルムの切断による券発行業務の停止を避けることができる。
また、原券１枚発行当たりの転写フィルム使用長さの比率（転写フィルムの歩留り）が一定となり、転写フィルムの無駄をなくすことができ、さらに余分に転写フィルムを搬送することがないので、戻し搬送用の駆動ローラ等も不要となる。
【００１０】
本発明の請求項２の発明は、上記（２）のように構成したので、転写フィルムに傷等が付くことなく、転写フィルムの端面が不揃いとなることを防止することができる。また、転写フィルムの巻き出し位置を常に一定に保持することができので、転写フィルムが蛇行したりして印刷範囲巾よりずれて走行することがなく、文字欠け印刷が生じることを防止することができる。
本発明の請求項３の発明は、上記（３）のように構成したので、券感熱転写印刷装置を容易に移動させることができ、業務状況に応じて必要な箇所に設置することができる。このため、中小規模駅等において効果的に運用することができる。
【００１１】
【発明の実施の形態】
以下、本発明の実施例を図１〜図５により説明する。
図１は本発明の１実施例の券感熱転写印刷装置の筐体内部の構成を示す図、図２は図１に示す券感熱転写印刷装置の外観図、図３は印刷部の構成を示す図、図４は転写フィルム部の装填リールの構造を示す図、図５は転写フィルム部の巻取リールの構造を示す図である。
【００１２】
図２において、１５は券感熱転写印刷装置の筐体であり、本実施例の券感熱転写印刷装置は小型化されており、筐体１５の上部に設けられた把手２０により携帯することができ、例えばテーブル１７上に設置して使用することができる。
筐体１５の正面１５ｂには開放できる扉１５ｃ，１５ｄが設けられており、扉１５ｃ，１５ｄを開けて、その内部に、目視情報印刷用の転写フィルムを供給する。
また、テーブル１７上に設置した券感熱転写印刷装置を同図の矢印Ｘで示す１方向から操作できるように、側面１５ａに原券を供給するための原券供給部１１が設けられ、原券供給部１１には蓋１１ａを備えた開口部が設けられている。駅係員は正面から上記蓋１１ａを開けて原券Ｑ１を収納することができる。
さらに、原券供給部１１の上部には券取出部１４が設けられ、また、反対側の側面１５ｅには手差し原券供給部１８が設けられており、手差し原券供給部１８から手差しで原券Ｑ２を供給することができる。
【００１３】
次に図１、図３、図４、図５により、本実施例の券感熱転写印刷装置の構成を説明する。
図１は図２に示した券感熱転写印刷装置を正面１５ｂから見たときの構成を示している。
同図において、１１は原券Ｑ１を供給する原券供給部、１２は原券Ｑ１の裏面に磁気情報を記録する情報記録部、１３は原券の表面に目視情報を印刷するための印刷部、１４は印刷後の原券Ｑ１を取り出すための券取出部、１５は券感熱転写印刷装置筐体、１６は転写フィルム部、１８は手差し原券供給部である。
また、１９は上記各部を制御する制御部であり、制御部１９はパネルの裏面に取り付けられている。２１は上記各部が取り付けられたパネル、７２は図示しない表示機器等が取り付けられた表示部である。
【００１４】
原券供給部１１は原券を収納する原券収納部１１０と、原券繰出機構１１２を備えており、原券繰出機構１１２の繰り出しローラ１１３により原券収納部１１から原券Ｑ１を一枚ずつ繰り出す。
情報記録部１２は磁気ヘッド１１６と反転レバー１１７を備えており、上記磁気ヘッド１１６により、搬送されてきた原券Ｑ１の裏面に磁気情報を記録し、反転レバー１１７により原券Ｑ１の進行方向を反転して、再度、上記磁気ヘッド１１６に原券Ｑ１を供給して、原券Ｑ１に記録した磁気情報をチェックする。
印刷部１３は裏面に磁気情報が記録された原券Ｑ１の表面に目視情報を印刷するためのサーマルヘッド５２を備えており、サーマルヘッド５２とプラテンローラ２２間を、原券Ｑ１と転写フィルム部１６から供給される転写フィルム６１が通過するとき、原券Ｑ１の表面に目視情報が印刷される。
【００１５】
図３は上記印刷部１３の構成を示す図である。
同図において、サーマルヘッド５２は軸５３により回動自在に支持されたホルダー５１に取り付けられ、ホルダー５１はバネ掛けピン５５に係止したネジリバネ５４により反時計方向に付勢されており、ストップピン５７は、ブラケット５８に取り付けられた調整ネジ５０に当接している。また、センサ５６により原券Ｑ１が検出される。
プラテンローラ２２とサーマルヘッド５２間のスキマは原券Ｑ１の厚さより狭く、原券Ｑ１の通過時、原券Ｑ１はプラテンローラ２２とサーマルヘッド５２により圧接される。また、このとき、ストップピン５７と調整ネジ５０の間には、原券Ｑ１が通過するときスキマが生じる。
情報記録部１２から振り分けレバー１１８（図１）を経由して供給される原券Ｑ１は、転写フイルム部１６の充填リール６２から供給される転写フィルム６１とともに、上記プラテンローラ２２とサーマルヘッド５２間のスキマを通過し、転写済の転写フィルムは巻取リール６３に巻き取られ、原券Ｑ１は券取出部１４に送られる。
【００１６】
図４は転写フィルム部１６の装填リール６２の構成を示す図であり、同図は、装填リール６２を図１の上面から見た図を示している。
同図に示すように、軸受け部材６０６が券感熱転写印刷装置のパネル２１にネジで取り付けられており、軸６９が上記軸受部材６０６に接着固定されたベアリング６０７、６０８で回転自在に支持されている。
上記軸受部材６０６の端面（同図の上側）には摩擦板６０４ｂが接着固定されており、また、軸６９と角穴で嵌合したハブ６０３に摩擦板６０４ａが接着固定されている。
摩擦板６０４ａ，６０４ｂの間に押圧力が働くようにバネ６０２が設けられており、バネ６０２を圧縮するための部材６０１がナット６００により軸６９に取り付けられている。このため、軸６９が回転するとき、摩擦板６０４ａ，６０４ｂによりスベリ摩擦力が生ずる。
【００１７】
軸６９に固定された芯金６１６には、クッション６１０ａが貼り付けられたフランジ６１４ａが小ネジで固定されている。また、芯金６１６の前端部（同図の下側）にはクッション６１０ｂが貼り付けられたフランジ６１４ｂがボス６１５に小ネジで固定された状態で嵌合し、ポールプランジャ６２３で抜け止めされている。
ポールプランジャ６２３の先端は、芯金６１６に設けられたミゾにはまり込んでいるので、ボス６１５をつまんで、手前側（同図の下側）にフランジ６１４ｂを抜き差しすることができる。
転写フィルム６１は装填用ボビン６２１に巻き付けられており、上記フランジ６１４ｂを抜き取り、装填用ボビン６２１を芯金６１６に押し込むことにより、転写フィルム６１をセットすることができる。また、フランジ６１４ｂがセットされている状態において、クッション６１０ａ，６１０ｂ間の寸法Ｗは転写フィルム巾を越えないように構成されている。
【００１８】
また、板バネ６１２が突出した形で芯金６１６にネジ止めされており、上記装填用ボビン６２１をセットしたとき、板バネ６１２により装填用ボビン６２１は保持される。なお、板バネ６１２で保持するトルクは摩擦板６０４ａ，６０４ｂ間で発生する摩擦トルクより大きいので、装填用ボビン６２１に回転力が働いたとき、摩擦板６０４ａ，６０４ｂは滑るが、装填用ボビン６２１は芯金６１６に対して回転しない。
上記クッション６１０ａ，６１０ｂは、例えば、スポンジゴム、あるいは、ウレタン発泡体等で形成されており、クッション６１０ａ，６１０ｂにより、転写フィルム６１を両側から挟持しているので、転写フィルム６１に傷等が付くことなく、転写フィルム６１の端面が不揃いとなることを防止することができる。また、転写フィルム６１の巻き出し位置を常に一定に保持することができる。
【００１９】
なお、転写フィルム６１の巾は印刷に必要な巾より２〜３ｍｍ広く作られているが、転写フィルム６１が印刷範囲巾よりずれて走行すると、文字の欠けた券面のものが発行されることがあり、特に定期券で上記文字欠けが生ずると、改ざんされた券面と見誤られる可能性もあり、購入者に多大な迷惑をかけることとなる。
本実施例においては、上記のようにクッション部材６１０ａ，６１０ｂにより転写フィルム６１の両側を抑えているので、転写フィルム６１の巻き出し位置は常に一定となり、上記文字欠け印刷が生じることを防止することができる。
【００２０】
図５は巻取リール６３の構成を示す図であり、同図は、巻取リール６３を図１の上面から見た図を示している。
同図に示すように、軸受け部材６１８が券感熱転写印刷装置のパネル２１にネジで取り付けられており、軸６０５が上記軸受部材６１８に接着固定されたベアリング６０７、６０８で回転自在に支持されている。
上記軸受部材６１８の端面（同図の上側）には摩擦板６０４ｄが接着固定されている。また、ハブ６１９が角穴により上記軸６０５に嵌合し、ハブ６１９には摩擦板６０４ｃが接着固定されている。
そして、摩擦板６０４ｃと摩擦板６０４ｄの間には軸受けブッシュ６１７が圧入された駆動プーリ６２０が回転自在に軸支されており、摩擦板６０４ｃは、軸６０５にナット６００で固定された部材６０１とハブ６１９の間に設けられた圧縮バネ６０２により押圧されている。このため、接触圧が駆動プーリ６２０に働いている。
【００２１】
上記駆動プーリ６２０には駆動ベルト６５が掛けられており、駆動プーリ６２０は駆動ベルト６５を介して図１の巻き取りモータ６４により駆動される。
軸６０５に押ネジ固定された芯金６０９にはフランジ６１３ａが小ネジで固定されており、芯金６０９の前端部（同図の下側）には、フランジ６１３ｂがボス６１５に小ネジで固定された状態で嵌合し、ポールプランジャ６２３で抜け止めされている。
ポールプランジャ６２３の先端は、芯金６０９に設けられたミゾにはまり込んでいるので、ボス６１５をつまんで、手前側（同図の下側）フランジ６１３ｂを抜き差しすることができる。
【００２２】
転写済の転写フィルム６１は巻取用ボビン６２２に巻き取られ、転写済の転写フィルム６１を巻き取った巻取用ボビン６２２は、上記フランジ６１３ｂを抜き取ることにより、取り外すことができる。また、板バネ６１２が突出した形で芯金６１６にネジ止めされており、上記巻取用ボビン６２１は板バネ６１２により保持される。
なお、板バネ６１２で保持するトルクは、摩擦板６０４ｃ，６０４ｄ間で発生する摩擦トルクより大きいので、駆動プーリ６２０が回転するとき、摩擦板６０４ａ，６０４ｂと駆動プーリ６２０が滑っても、巻取用ボビン６２２は芯金６１６に対して回転しない。
【００２３】
図１、図３、図４、図５において、転写フィルム６１の装填は次のように行われる。
装填リール６２のフランジ６１４ｂを引き抜き、転写フィルム６１が巻かれた装填用ボビン６２１をインク面が原券Ｑ１の表面と接触するように芯金６１６に押し込む。板バネ６１２が芯金６１６の外周に取り付けられているので、装填用ボビン６１２は板バネ６１２により保持される。
次いで、装填リール６２のフランジ６１４ｂを装着し、装填リール６２から転写フィルム６１を巻き出し、フィルムセンサ６０ａ，６０ｂの間を通過させて、案内ローラ６６に巻き掛ける。さらに、サーマルヘッド５２とプラテンローラ２２の間を通して、案内ローラ６７に巻き掛け、巻取リール６３の巻取用ボビン６２２に巻き付ける。そして、表示部７２に設けられた転写フィルム送りボタン（図示せず）を押して、転写フィルム６１の弛みをとる。
【００２４】
次に、図１、図３、図４、図５により本実施例における券発行時の動作について説明する。
原券Ｑ１を原券供給部１１にセットするには、テーブル１７上に設置された券感熱印刷装置の筐体１５の側面に設けられた原券供給箱用蓋１１ａを開ける。そして、原券供給部１１の底板１１１を最下部まで押し下げて、プッシュラッチで保持し、原券供給部１１に原券Ｑ１を収納する。
原券供給後、再度原券供給部１１の底板１１１の端部を押し下げて、保持を外し、原券供給箱用蓋１１ａを閉じて施錠する。
次いで、図示しない操作部に設けられたスイッチを操作し起動すると、制御部１９の制御により、原券繰り出し機構１１２が動作し、繰り出しローラ１１３により、原券供給部１１に収納された原券Ｑ１をスリップしない速度で送り出す。
原券供給部１１から送り出された原券Ｑ１は振り分けレバー１１８を経由して、情報記録部１２に送られる。
【００２５】
情報記録部１２において、原券Ｑ１はベルト１１４，１１５で挟持され、Ｂ矢印方向に送られ、磁気ヘッド１１６により裏面に磁気情報の書き込みが行われる。磁気情報が書き込まれた原券Ｑ１の先端は反転レバー１１７の内側に沿って、Ｃ矢印方向に搬送され、原券Ｑ１により反転レバー１１７が回動する。その結果、図示しないセンサ等が駆動され原券Ｑ１の送り方向が反転される。方向を反転した原券Ｑ１はＤ矢印方向に搬送され、磁気ヘッド１１６により読取チェックが行われる。
上記のように、反転レバー１１７を設けて、原券Ｑ１の移動方向を反転させることにより、原券Ｑ１の移動経路を短くすることができ、装置の奥行き寸法を短くし、装置の小型化を図ることができる。
磁気情報が書き込まれた原券Ｑ１は振り分けレバー１１８で、Ｅ矢印方向に振り分けられ、搬送速度を下げて印刷部１３に搬送される。
【００２６】
搬送速度を下げた時点で、巻取リール６３を回転させる巻き取りモータ６４が駆動される。この状態では、巻取リール６３の駆動プーリ６２０（図３参照）は滑り駆動状態であり、転写フィルム６１は停止しており、転写フィルム６１には許容張力を下回る張力が掛けられている。
原券Ｑ１がプラテンローラ２２に送り込まれると、転写フィルム６１は原券とともに重合搬送され、原券Ｑ１の表面に感熱転写印刷が行われる。
上記重合搬送の間、駆動プーリ６２０はすべり駆動しながら、巻取リール６３で転写フィルム６１を巻き取り、また、装填リール６２側は、すべり摩擦力で転写フィルム６１に許容張力を下回るバックテンションを掛ける。
感熱転写後、転写フィルム６１は斜め上方に搬送され、また、原券Ｑ１は原券Ｑ１の剛性によりサーマルヘッド５２下面に沿って券取出部１４方向に搬送され、転写フィルム６１と原券Ｑ１は分離される。
【００２７】
原券Ｑ１の後端がサーマルヘッド５２の感熱部を通過し終わると、転写フィルム６１は停止状態に戻り、駆動プーリ６２０は、前記したすべり駆動状態になり、転写フィルム６１は停止する。すなわち、転写フィルム６１は原券Ｑ１がサーマルヘッド５２を通過するときだけ、原券と共に移動し、原券Ｑ１がサーマルヘッド５２を通過すると、装填リール６２の摩擦板６０４ａ，６０４ｂによるすべり保持力が転写フィルム６１に働き、巻取リール６３のすべり駆動力を上回っていることで停止する。
表面に目視情報が印刷された原券Ｑ１は、搬送ローラ１２０で挟持され、券取出部１４へ送られ外部に排出される。また、原券Ｑ１の位置は図示しないセンサで検出され、原券Ｑ１が外部に排出されると装置が停止する。
また、手差原券供給部１８から原券Ｑ２を供給すると、情報記録部１２において、上記したように原券Ｑ２の裏面に磁気情報が記録され、振り分けレバー１１８を経由して印刷部１３に送られる。そして、サーマルヘッド５２とプラテンローラ２２の間を通過するとき表面に目視情報が印刷され、券取出部１４から外部に排出される。
【００２８】
上記のように、原券Ｑ１がプラテンローラ２２とサーマルヘッド５２間を通過するとき、転写フィルム６１を原券Ｑ１と共に重合搬送するようにしたので、転写フィルム６１を印刷速度と同期搬送するための駆動ローラ機構を設ける必要がなく、また、転写フィルム６１の駆動タイミングの時間ズレがあっても転写フィルム６１が切断することがない。このため、転写フィルムの切断による券発行業務の停止を避けることができる。
また、原券１枚発行当たりの転写フィルム使用長さの比率（転写フィルムの歩留り）が一定となり、転写フィルムの無駄がなくなる。
さらに、余分に転写フィルムを搬送することがないので、戻し搬送用の駆動ローラ等も不要となる。
【００２９】
【発明の効果】
以上説明したように、本発明においては以下の効果を得ることができる。
（１）原券の搬送方向を反転する反転機構を設けたので、原券の搬送経路を短縮化することができ、また、転写フィルムの搬送を原券とともにサーマルヘッドとプラテンローラの間で重合搬送するようにしたので、転写フィルムを印刷速度と同期搬送するための駆動ローラ機構等を設ける必要がなく、装置を小型化することができる。
このため、券感熱転写印刷装置をテーブル上に設置して、駅係員が着席したまま転写フィルムの交換等を行うことができ操作性を向上させることができる。
【００３０】
（２）転写フィルムを印刷速度と同期搬送するための駆動ローラ機構等を設ける必要がないので、転写フィルムの駆動タイミングの時間ズレがあっても転写フィルムに過大な張力が掛かることがなく、転写フィルムが切断することがない。
このため、転写フィルムの切断による券発行業務の停止を避けることができる。
また、原券１枚発行当たりの転写フィルム使用長さの比率（転写フィルムの歩留り）が一定となり、転写フィルムの無駄がなくすことができ、さらに余分に転写フィルムを搬送することがないので、戻し搬送用の駆動ローラ等も不要となる。
【００３１】
（３）転写フィルム部の装填リールに、該装填リールに巻回された転写フィルムの両側面を抑える一対のクッション部材を設け、クッション部材間の間隔を、転写フィルムの巾寸法を越えないようにしたので、転写フィルムに傷等が付くことなく、転写フィルムの端面が不揃いとなることを防止することができる。
また、転写フィルムの巻き出し位置を常に一定に保持することができので、転写フィルムが蛇行したりして印刷範囲巾よりずれて走行することがなく、文字欠け印刷が生じることを防止することができる。
（４）券感熱転写印刷装置に把手を付けて携帯可能としたので、券感熱転写印刷装置を容易に移動させることができ、業務状況に応じて必要な箇所に設置することができる。このため、中小規模駅等において効果的に運用することができる。
【図面の簡単な説明】
【図１】本発明の１実施例の券感熱転写印刷装置の筐体内部の構成を示す図である。
【図２】図１に示す券感熱転写印刷装置の外観図である。
【図３】本発明の実施例の印刷部の構成を示す図である。
【図４】本発明の実施例の転写フィルム部の装填リールの構造を示す図である。
【図５】本発明の実施例の転写フィルム部の巻取リールの構造を示す図である。
【図６】従来の券発行機の外観図である。
【図７】従来の券印刷機の概略構成を示す図である。
【符号の説明】
１１                原券供給部
１１ａ              蓋
１２                情報記録部
１３                印刷部
１４                券取出部
１５                筐体
１５ｃ，１５ｄ      扉
１６                転写フィルム部
１７                テーブル
１８                手差し原券供給部
１９                制御部
２０                把手
２１                パネル
２２                プラテンローラ
５０                調整ネジ
５１                ホルダー
５２                サーマルヘッド
５３                軸
５４                ネジリバネ
５５                バネ掛けピン
５６                原券センサ
５７                ストップピン
５８                ブラケット
６０ａ，６０ｂ      フィルムセンサ
６１                転写フィルム
６２                装填リール
６３                巻取リール
６４                巻き取りモータ
６５                駆動ベルト
６６，６７          案内ローラ
６９                軸
７２                表示部
１１２              原券繰り出し機構
１１３              繰り出しローラ
１１４，１１５      ベルト
１１６              磁気ヘッド
１１７              反転レバー
１１８              振り分けレバー
１２０              搬送ローラ
６０２              バネ
６０３，６１９      ハブ
６０４ａ〜６０４ｄ  摩擦板
６０５              軸
６０６，６１８      軸受
６０７，６０８      ベアリング
６０９，６１６      芯金
６１０ａ，６１０ｂ  クッション
６１２              板バネ
６１３ａ，６１３ｂ  フランジ
６１４ａ，６１４ｂ  フランジ
６１５              ボス
６１７              軸受ブッシュ
６２０              駆動プーリ
６２１              装填用ボビン
６２２              巻取用ボビン
６２３              ボールプランジャ
【図１】
0003724886.tif 000002
【図２】
0003724886.tif 000003
【図３】
0003724886.tif 000004
【図４】
0003724886.tif 000005
【図５】
0003724886.tif 000006
【図６】
0003724886.tif 000007
【図７】
0003724886.tif 000008